(57)【要約】【課題】電動送風機のカーボンブラシ寿命末期に発生するスパークを低減すること。【解決手段】一対のカーボンブラシの内、一方のカーボンブラシの反整流子側端面から余り代（整流子と接触しない部分）１５より整流子側の範囲かつ整流子４の回転方向進入側側面に、カーボンブラシ断面積が小さくなるよう切り欠き部１６を設けることで、カーボンブラシ寿命末期時に、カーボンブラシの切り欠き部を設けた範囲と整流子が当接することで、擬似的に電気角が減少したこととなり、電動送風機の入力を低下させることができ、カーボンブラシ９と整流子間で発生するスパークの低減が可能となる。【選択図】図１
2010035266.tif 000002
【特許請求の範囲】
【請求項１】
界磁巻線と界磁コアを有した界磁部と、前記界磁部の内側に配置され、整流子と電機子巻線と電機子コア及び回転軸を有する電機子と、前記界磁巻線の一端より接続され、前記整流子に電流を伝達する一対のカーボンブラシと、前記界磁部を収納し、前記電機子をベアリングを介し回転自在に挟持するハウジングと、前記電機子の回転軸の一端に固定されたインペラと、前記インペラより吐き出された気流を圧力回復させるディフューザと、前記インペラ及び前記ディフューザを覆うよう前記ハウジングに圧入固定されたファンケースとを備え、前記一対のカーボンブラシの内、一方のカーボンブラシの反整流子側端面から余り代（整流子と接触しない部分）より整流子側の範囲かつ整流子の回転方向進入側側面に、カーボンブラシの断面積が小さくなるよう切り欠き部を設けた電動送風機。
【請求項２】
一対のカーボンブラシの両方に切り欠き部を設けた請求項１に記載の電動送風機。
【請求項３】
カーボンブラシの切り欠き部を、整流子側から反整流子側にかけて徐々にカーボンブラシの断面積が小さくなるよう傾斜形状とした請求項１または２に記載の電動送風機。
【請求項４】
カーボンブラシの切り欠き部がある範囲（カーボンブラシの断面積が小となる範囲）の材質を比抵抗が高いものとした請求項１〜３のいずれか一項に記載の電動送風機。
【請求項５】
請求項１〜４のいずれか１項に記載の電動送風機を用いた電気掃除機。
【発明の詳細な説明】
【技術分野】
【０００１】
本発明は電動送風機のカーボンブラシ寿命末期の整流子及びカーボンブラシ間に発生するスパークを低減した電動送風機およびこれを用いた電気掃除機に関するものである。
【背景技術】
【０００２】
従来、この種の電動送風機のカーボンブラシは、整流子と摺動し磨耗する範囲において、先端から後端まで基本的に同形状をしている（例えば、特許文献１参照）。
【０００３】
図７は、特許文献１に記載された従来の電動送風機の断面図を示すものである。図６は、従来の電動送風機に用いられるカーボンブラシの構成を示すものである。
【０００４】
図７、及び図６に示すように、界磁巻線１と界磁コア２を有した界磁部３と、前記界磁部３の内側に配置され、整流子４と電機子巻線５と電機子コア６及び回転軸７を有する電機子８と、前記界磁巻線１の一端より接続され、前記整流子４に電流を伝達する一対のカーボンブラシ９と、前記界磁部３を収納し、前記電機子８をベアリング１０を介し回転自在に挟持するハウジング１１と、前記電機子８の回転軸７の一端に固定されたインペラ１２と、前記インペラ１２より吐き出された気流を圧力回復させるディフューザ１３と、前記インペラ１２及び前記ディフューザ１３を覆うよう前記ハウジング１１に圧入固定されたファンケース１４から構成されている。
【０００５】
以上のように構成された電動送風機について、以下その動作について説明する。
【０００６】
電動送風機に電源が印加されると、回路的には界磁巻線１からカーボンブラシ９、整流子４、電機子巻線５、整流子４、カーボンブラシ９、界磁巻線１の順に電流は流れる。動作について説明すると、界磁巻線１に電流が流れることにより界磁束が発生し、電流の流れる電機子巻線５が界磁束を受けることでフレミングの法則により電機子８が高速回転を始める。次に電機子８が回転することにより、回転軸７の一端に固定されたインペラ１２が回転する。インペラ１２が高速回転をすることにより、空気がファンケース１４の吸気口から入り、インペラ１２より圧縮され吐き出された空気は、ディフューザ１３にて運動エネルギーから圧力エネルギーへと圧力回復をしながら変換され、最終的にハウジング１１外、すなわち電動送風機の外部へ排出される。
【特許文献１】特開２００６−２８８７０９号公報
【発明の開示】
【発明が解決しようとする課題】
【０００７】
しかしながら、前記従来の構成では、カーボンブラシが磨耗し寿命末期になると、整流子の表面の荒れや、真円度の悪化、またカーボンブラシを整流子に押し当てるためのバネ力の低下によるカーボンブラシのチャタリング等に起因し、カーボンブラシと整流子間で発生するスパークが増大するという課題を有していた。
【０００８】
本発明は、前記従来の課題を解決するもので、カーボンブラシ寿命末期の整流子及びカーボンブラシ間に発生するスパークを低減した電動送風機を提供することを目的とする。
【課題を解決するための手段】
【０００９】
前記従来の課題を解決する為に、本発明の電動送風機は、一対のカーボンブラシの内、一方のカーボンブラシの反整流子側端面から余り代（整流子と接触しない部分）より整流子側の範囲かつ整流子の回転方向進入側側面に、カーボンブラシ断面積が小さくなるよう
切り欠き部を設けたものである。
【００１０】
これによって、カーボンブラシ寿命末期時に、カーボンブラシの切り欠き部を設けた範囲と整流子が当接し、擬似的に電気角を小さくすることとなり、電動送風機の入力を低下させることができ、スパークの低減が可能となる。
【発明の効果】
【００１１】
本発明の電動送風機は、カーボンブラシ寿命末期の整流子及びカーボンブラシ間に発生するスパークを低減することができる。
【発明を実施するための最良の形態】
【００１２】
第１の発明は、界磁巻線と界磁コアを有した界磁部と、前記界磁部の内側に配置され、整流子と電機子巻線と電機子コア及び回転軸を有する電機子と、前記界磁巻線の一端より接続され、前記整流子に電流を伝達する一対のカーボンブラシと、前記界磁部を収納し、前記電機子をベアリングを介し回転自在に挟持するハウジングと、前記電機子の回転軸の一端に固定されたインペラと、前記インペラより吐き出された気流を圧力回復させるディフューザと、前記インペラ及び前記ディフューザを覆うよう前記ハウジングに圧入固定されたファンケースとを備え、前記一対のカーボンブラシの内、一方のカーボンブラシの反整流子側端面から余り代（整流子と接触しない部分）より整流子側の範囲かつ整流子の回転方向進入側側面に、カーボンブラシ断面積が小さくなるよう切り欠き部を設けることにより、カーボンブラシ寿命末期時に、カーボンブラシの切り欠き部を設けた範囲と整流子が当接することで、擬似的に電気角が減少したこととなり、電動送風機の入力を低下させることができ、スパークの低減が可能となる。
【００１３】
第２の発明は、特に、第１の発明の一対のカーボンブラシの両方に切り欠きを設けることにより、より電動送風機の入力を低下させることができ、スパーク低減効果を高めることが可能となる。
【００１４】
第３の発明は、特に、第１または第２の発明のカーボンブラシの切り欠きを、整流子側から半整流子側にかけて徐々にカーボンブラシの断面積が小さくなるよう傾斜形状とすることで、電動送風機の入力を徐々に低下させることができ、安定的にスパークを低減することが可能となる。
【００１５】
第４の発明は、特に、第１から第３のいずれか１つの発明のカーボンブラシの切り欠き部がある範囲（カーボンブラシの断面積が小となる範囲）の材質を比抵抗が高いものとすることで、より電動送風機の入力を低下させることができ、スパーク低減効果を高めることが可能となる。
【００１６】
第５の発明は、特に、第１から第４のいずれか１つの発明の電動送風機を用いた電気掃除機としたことで、カーボンブラシ寿命末期に発生するスパークを低減することができ、電動送風機の信頼性品質を高めることができる。
【００１７】
以下、本発明の実施の形態について、図面を参照しながら説明する。なお、この実施の形態によって本発明が限定されるものではない。
【００１８】
（実施の形態１）
図１は本発明の第１の実施の形態における電動送風機のカーボンブラシ近傍の構成図、図２は本発明の第１の実施の形態における電動送風機の断面図を示すものである。
【００１９】
図１及び図２において、界磁巻線１と界磁コア２を有した界磁部３と、前記界磁部３の
内側に配置され、整流子４と電機子巻線５と電機子コア６及び回転軸７を有する電機子８と、前記界磁巻線１の一端より接続され、前記整流子４に電流を伝達する一対のカーボンブラシ９と、前記界磁部３を収納し、前記電機子８をベアリング１０を介し回転自在に挟持するハウジング１１と、前記電機子８の回転軸７の一端に固定されたインペラ１２と、前記インペラ１２より吐き出された気流を圧力回復させるディフューザ１３と、前記インペラ１２及び前記ディフューザ１３を覆うよう前記ハウジング１１に圧入固定されたファンケース１４とを備え、前記一対のカーボンブラシ９の内、一方のカーボンブラシ９の反整流子４側端面から余り代（整流子と接触しない部分）１５より整流子４側の範囲かつ整流子４の回転方向進入側側面に、カーボンブラシ９の断面積が小さくなるよう切り欠き部１６を設けている。
【００２０】
以上のように構成された電動送風機について、以下その動作、作用を説明する。
【００２１】
まず、電動送風機に電源が印加されると、回路的には界磁巻線１からカーボンブラシ９、整流子４、電機子巻線５、整流子４、カーボンブラシ９、界磁巻線１の順に電流は流れる。
【００２２】
動作について説明すると、界磁巻線１に電流が流れることにより界磁束が発生し、電流の流れる電機子巻線５が界磁束を受けることでフレミングの法則により電機子８が高速回転を始める。次に電機子８が回転することにより、回転軸７の一端に固定されたインペラ１２が回転する。インペラ１２が高速回転をすることにより、空気がファンケース１４の吸気口から入り、インペラ１２より圧縮され吐き出された空気は、ディフューザ１３にて運動エネルギーから圧力エネルギーへと圧力回復をしながら変換され、最終的にハウジング１１外、すなわち電動送風機の外部へ排出される。
【００２３】
また、電動送風機が長時間運転することでカーボンブラシ９が磨耗し、カーボンブラシ寿命末期時には、カーボンブラシ９の切り欠き部１６を設けた範囲と整流子４が当接し、擬似的に電気角を小さくすることとなり、電動送風機の入力を低下させることができ、カーボンブラシ９と整流子４間で発生するスパークの低減が可能となる。
【００２４】
但し、元来電気角は電気的中性点と機械的中性点のずれを修正し、整流作用を改善するために設けられており、本発明のブラシホルダの切り欠きのサイズ（すなわち電気角の減少度合い）によっては逆にスパークの発生を加速する可能性もある。電動機の種類、仕様によりスパークを抑制するための最適な切り欠きのサイズは異なるため、本文での記載は避けるものとする。
【００２５】
以上のように、本実施の形態においては、一対のカーボンブラシの内、一方のカーボンブラシの反整流子側端面から余り代（整流子と接触しない部分）より整流子側の範囲かつ整流子の回転方向進入側側面に、カーボンブラシ断面積が小さくなるよう切り欠き部を設けることによって、カーボンブラシ寿命末期時に、カーボンブラシの切り欠き部を設けた範囲と整流子が当接し、擬似的に電気角を小さくすることとなり、電動送風機の入力を低下させることができ、カーボンブラシと整流子間で発生するスパークを低減することができる。
【００２６】
（実施の形態２）
図３は、本発明の第２の実施の形態の電動送風機のカーボンブラシ近傍の構成図である。
【００２７】
なお実施の形態１と同一構成部品については同一符号を付して、その説明を省略する。
【００２８】
図３において、一対のカーボンブラシ９の両方共に、反整流子４側端面から余り代（整流子と接触しない部分）１５より整流子４側の範囲かつ整流子４の回転方向進入側側面に、カーボンブラシ９の断面積が小さくなるよう切り欠き部１６を設けている。
【００２９】
以上のように構成された電動送風機について、以下その動作、作用を説明する。
【００３０】
まず、電動送風機が長時間運転することでカーボンブラシ９が磨耗し、カーボンブラシ９寿命末期時には、カーボンブラシ９の切り欠き部１６を設けた範囲と整流子４が当接し、擬似的に電気角を小さくすることとなり、また、一対のカーボンブラシ９の両方共に切り欠き部１６を設けていることで、より電動送風機の入力を低下させることができ、カーボンブラシ９と整流子４間で発生するスパークの低減効果を高めることが可能となる。
【００３１】
以上のように、本実施の形態においては、一対のカーボンブラシの両方に切り欠きを設けることにより、より電動送風機の入力を低下させることができ、スパーク低減効果を高めることが可能となる。
【００３２】
（実施の形態３）
図４は、本発明の第３の実施の形態の電動送風機のカーボンブラシ近傍の構成図である。
【００３３】
なお実施の形態１と同一構成部品については同一符号を付して、その説明を省略する。
【００３４】
図４において、カーボンブラシ９の切り欠き部１６を、整流子４側から半整流子４側にかけて徐々にカーボンブラシ９の断面積が小さくなるよう傾斜形状１７としている。
【００３５】
以上のように構成された電動送風機について、以下その動作、作用を説明する。
【００３６】
まず、電動送風機が長時間運転することでカーボンブラシ９が磨耗し、カーボンブラシ９寿命末期時には、カーボンブラシ９の切り欠き部１６を設けた範囲と整流子４が当接することとなるが、切り欠き部１６に傾斜形状１７を設けていることにより、徐々に電気角を小さくなることで、電動送風機の入力も徐々に低下することになるため、安定的にスパークを低減することが可能となる。
【００３７】
以上のように、カーボンブラシの切り欠きを、整流子側から半整流子側にかけて徐々にカーボンブラシの断面積が小さくなるよう傾斜形状とすることで、電動送風機の入力を徐々に低下させることができ、安定的にスパークを低減することが可能となる。
【００３８】
（実施の形態４）
図５は、本発明の第４の実施の形態の電動送風機のカーボンブラシ近傍の構成図である。
【００３９】
なお実施の形態１と同一構成部品については同一符号を付して、その説明を省略する。
【００４０】
図５において、カーボンブラシ９の切り欠き部１６がある範囲（カーボンブラシの断面積が小となる範囲）のカーボン材質を高比抵抗材質１７としている。
【００４１】
以上のように構成された電動送風機について、以下その動作、作用を説明する。
【００４２】
まず、電動送風機が長時間運転することでカーボンブラシ９が磨耗し、カーボンブラシ９寿命末期時には、カーボンブラシ９の切り欠き部１６を設けた範囲と整流子４が当接す
ることとなるが、切り欠き部１６がある範囲（カーボンブラシの断面積が小となる範囲）のカーボン材質を高比抵抗材質１７としていることで、より電動送風機の入力を低下させることができ、スパーク低減効果を高めることが可能となる。
【００４３】
以上のように、本実施の形態においては、カーボンブラシの切り欠き部がある範囲（カーボンブラシの断面積が小となる範囲）の材質を比抵抗が高いものとすることで、より電動送風機の入力を低下させることができ、スパーク低減効果を高めることが可能となる。
【産業上の利用可能性】
【００４４】
以上のように、本発明にかかる電動送風機は、カーボンブラシ寿命末期に発生するスパークを低減することができるので、カーボンブラシを用いた電動機に有効であり、カーボンブラシを用いた電動機を搭載した機器に適用できる。
【図面の簡単な説明】
【００４５】
【図１】本発明の実施の形態１における電動送風機のカーボンブラシ近傍の構成図
【図２】本発明の実施の形態１における電動送風機の断面図
【図３】本発明の実施の形態２における電動送風機のカーボンブラシ近傍の構成図
【図４】本発明の実施の形態３における電動送風機のカーボンブラシ近傍の構成図
【図５】本発明の実施の形態４における電動送風機のカーボンブラシ近傍の構成図
【図６】従来の電動送風機のカーボンブラシ近傍の構成図
【図７】従来の電動送風機の断面図
【符号の説明】
【００４６】
１  界磁巻線
２  界磁コア
３  界磁部
４  整流子
５  電機子巻線
６  電機子コア
７  回転軸
８  電機子
９  カーボンブラシ
１０  ベアリング
１１  ハウジング
１２  インペラ
１３  ディフューザ
１４  ファンケース
１５  余り代
１６  切り欠き部
１７  傾斜形状
１８  高比抵抗材質
【図１】
2010035266.tif 000003
【図２】
2010035266.tif 000004
【図３】
2010035266.tif 000005
【図４】
2010035266.tif 000006
【図５】
2010035266.tif 000007
【図６】
2010035266.tif 000008
【図７】
2010035266.tif 000009